(57)【要約】【課題】  現実の使用感を心地よいものとしながら、熱の逃げも少なく抑えるべく、作用ヘッド、発熱体、グリップ本体との相互の関連状態を改善し、新規な温灸器の開発を課題とした。【解決手段】  本発明の温灸器１は、握り操作に適した形状を有するグリップ本体２と、このグリップ本体２の前端に設けられ、作用面を曲面形成した作用ヘッド３と、外部電源から給電を受けて発熱し、前記作用ヘッド３を加熱する平板状のヒータ素子４とを具え、前記作用ヘッド３とグリップ本体２とは、断熱ジョイント５を介して組み立てられ、一方の前記作用ヘッド３とヒータ素子４とは、平板状としたヒータ素子４を密着保持状態に作用ヘッド内側の伝熱面に接触させ、作用ヘッド３を加熱するようにしたことを特徴として成るものである。【選択図】図１
2015062641.tif 000002
【特許請求の範囲】
【請求項１】
握り操作に適した形状を有するグリップ本体と、
このグリップ本体の前端に設けられ、作用面を曲面形成した作用ヘッドと、
外部電源から給電を受けて発熱し、前記作用ヘッドを加熱する平板状のヒータ素子とを具え、
前記作用ヘッドとグリップ本体とは、断熱ジョイントを介して組み立てられ、一方の前記作用ヘッドとヒータ素子とは、平板状としたヒータ素子を密着保持状態に作用ヘッド内側の伝熱面に接触させ、作用ヘッドを加熱するようにしたことを特徴とする温灸器。
【請求項２】
前記断熱ジョイントは、短管状の接続部と、この接続部のほぼ中間から外フランジ状に張り出す仕切り部とを具え、前記接続部は、仕切り部を挟んだ一方の側を作用ヘッド接続部として、その外周に作用ヘッド接続オネジを具えるものであり、また他方の側をグリップ接続部として、その外周にグリップ接続オネジを具えるものであり、前記作用ヘッド及びグリップ本体は、それぞれ前記作用ヘッド接続オネジ及びグリップ接続オネジにネジ接続される接続メネジを具えることにより、グリップ部に対し断熱ジョイントを介して作用ヘッドを固定する構成を有することを特徴とする請求項１記載の温灸器。
【請求項３】
前記断熱ジョイントにおける作用ヘッド接続部は、その前端面をヒータ素子を作用ヘッド内側に密着させるための密着保持構造としての押し込み端としていることを特徴とする請求項１または２記載の温灸器。
【請求項４】
前記作用ヘッドの基端縁と、断熱ジョイントの仕切部との間には、外部と連通する伝熱調整空間が形成されていることを特徴とする請求項１、２または３記載の温灸器。
【請求項５】
前記給電線は、グリップ部本体における作用ヘッドの反対寄りの端部近くの側面に接続されていることを特徴とする請求項１、２、３または４記載の温灸器。
【発明の詳細な説明】
【技術分野】
【０００１】
本発明は、外部給電されて発熱するようにした温灸器に関するものである。
【背景技術】
【０００２】
人体のいわゆるつぼを温灸刺激することにより、血行促進や、それに伴う身体の活性化を図ることが従来から行われている。この手法の最も一般的なものの一つとして、艾（もぐさ）を体表面で燃焼させて局部的に刺激する温灸治療がある。
ところでこの温灸治療をより手軽に行うことができるように、加熱面を外部電源とした電気式温灸器が種々提案されている（特許文献１、２）。しかしながらこのような先行発明がありながらも、現実の治療現場を見た場合、いくつかの改良すべき点がある。具体的にはこの種の温灸器は、施療ための握り部位となるグリップ本体と、その前端部に設けられ温灸作用を直接奏する作用ヘッドとを具えるが、第一には、加熱された作用ヘッドの熱が、グリップ本体側に逃げ易く、熱効率が悪くいわゆる省エネの視点から改善する余地があった。
一方で作用ヘッドに供給した熱を留めるようにした場合、加熱源の熱が過剰に貯留し、治療の適応範囲を超えてしまうこともあり、制御回路が内蔵されていたとしても、温灸治療が施される治療者にとって心地良く、且つ治療効果を高める適切な温度を得ることは予想外に難しい。
【先行技術文献】
【特許文献】
【０００３】
【特許文献１】特開２００６−２３１０４４号公報
【特許文献２】特開２０１０−２０７３０２号公報
【発明の概要】
【発明が解決しようとする課題】
【０００４】
本発明は、これらの種々の背景を考慮してなされたものであって、まず第一に現実の使用感を心地良いものとしながら、熱の逃げも少なく抑えるべく、作用ヘッド、発熱体、グリップ本体との相互の関連状態を改善した、新規な温灸器の開発を試みたものである。
【課題を解決するための手段】
【０００５】
請求項１記載の温灸器は、握り操作に適した形状を有するグリップ本体と、このグリップ本体の前端に設けられ、作用面を曲面形成した作用ヘッドと、外部電源から給電を受けて発熱し、前記作用ヘッドを加熱する平板状のヒータ素子とを具え、前記作用ヘッドとグリップ本体とは、断熱ジョイントを介して組み立てられ、一方の前記作用ヘッドとヒータ素子とは、平板状としたヒータ素子を密着保持状態に作用ヘッド内側の伝熱面に接触させ、作用ヘッドを加熱するようにしたことを特徴として成るものである。
【０００６】
請求項２記載の温灸器は、前記請求項１記載の要件に加え、前記断熱ジョイントについては、短管状の接続部と、この接続部のほぼ中間から外フランジ状に張り出す仕切り部とを具え、前記接続部は、仕切り部を挟んだ一方の側を作用ヘッド接続部として、その外周に作用ヘッド接続オネジを具えるものであり、また他方の側をグリップ接続部として、その外周にグリップ接続オネジを具えるものであり、前記作用ヘッド及びグリップ本体は、それぞれ前記作用ヘッド接続オネジ及びグリップ接続オネジにネジ接続される接続メネジを具えることにより、グリップ部に対し断熱ジョイントを介して作用ヘッドを固定する構成を有することを特徴として成るものである。
【０００７】
請求項３記載の温灸器は、前記請求項１または２記載の要件に加え、前記断熱ジョイントにおける作用ヘッド接続部については、その前端面をヒータ素子を作用ヘッド内側に密着させるための密着保持構造としての押し込み端としていることを特徴として成るものである。
【０００８】
請求項４記載の温灸器は、前記請求項１、２または３記載の要件に加え、前記作用ヘッドの基端縁側と、断熱ジョイントの仕切部との間には、外部と連通する伝熱調整空間が形成されていることを特徴として成るものである。
【０００９】
請求項５記載の温灸器は、前記請求項１、２、３または４記載の要件に加え、前記給電線については、グリップ部本体における作用ヘッドの反対寄りの端部近くの側面に接続されていることを特徴として成るものである。
【発明の効果】
【００１０】
まず請求項１記載の発明によれば、温灸作用を直接担う作用ヘッドから、グリップ本体への熱の伝達をグリップ本体との間に介在させた断熱ジョイントが遮断し、その熱の漏えいを防止する。加えて、ヒータを平板状にして、これを作用ヘッドに密着させて加熱することにより伝熱効率を高めたものであり、これらの作用が相俟って極めて熱効率の良い温灸器が得られる。
【００１１】
また請求項２記載の発明によれば、グリップ部と作用ヘッドとが、両者の間に介在する断熱ジョイントに形成された接続オネジにより、それぞれネジ止め固定されるものであり、極めて簡単な構成のもとに安定した接続状態が得られる。
【００１２】
また請求項３記載の発明によれば、前記断熱ジョイントにおける作用ヘッド接続部の前端面を密着保持構造として利用し、これによりヒータ素子を作用ヘッドの内側に密着できるようにするものであり、合理的且つシンプルな構成の下にヒータ素子と作用ヘッドとの密着状態が得られる。
【００１３】
また請求項４記載の発明によれば、作用ヘッドと、断熱ジョイントの仕切部との間には、外部と連通した伝熱調整空間が設けられており、これにより一定の熱量が放散されるとともに、一方では作用ヘッドと断熱ジョイントとの接触部位が極めて限定され、作用ヘッドに貯留された熱のグリップ本体側への伝熱漏えいが抑えられる。
【００１４】
また請求項５記載の発明によれば、給電線がグリップ本体からいわば横出し状に延長されており、治療を施す施療者が用いるにあたり、グリップ本体を作用ヘッド反対側から押圧操作し易い形状となっており、作用ヘッドを充分に患部に押し当てることができる。
【図面の簡単な説明】
【００１５】
【図１】本発明の温灸器を示す斜視図であり、（ａ）は使用状態、（ｂ）は全体形状、（ｃ）は分解状態を示す。
【図２】同上温灸器の一部縦断側面図である。
【図３】同上温灸器の作用ヘッドと断熱ジョイントとの接続部を一部拡大して示す縦断側面図である。
【図４】同上温灸器の他の実施例を示す、分解斜視図である。
【図５】同上温灸器の作用ヘッドの他の実施例を示す説明図である。
【発明を実施するための形態】
【００１６】
本発明を実施するための形態は、以下述べる実施例をその一つとするものであるとともに、この技術思想に基づく種々の改良した実施例も含むものである。
【実施例１】
【００１７】
以下、本発明を図示の実施例に基づいて具体的に説明する。
符号１は本発明の温灸器であって、図に示すように治療者のいわゆるつぼに押し当てて、温灸刺激を与えるものである。もちろんこの操作は、施療者が行ってもよいし、治療者本人が手の届く範囲で自己刺激を行ってもよい。
まず温灸器１は、全体として手で握り易い形状を有するグリップ本体２と、このグリップ本体先端側に設けられる作用ヘッド３とを具える。実質的にはグリップ本体２は、円筒状等の形状を採るが、握り易い凹凸を具えたような異形形状としたものであってももとより差し支えない。一方、作用ヘッド３は、外部電源から給電されて発熱する平板状のヒータ素子４をその内側に接触密着させることにより加熱される。更にこのグリップ本体２と作用ヘッド３とは、断熱ジョイント５を介して、接続状態が得られる。なお以下の説明において、温灸器１の前後とは、作用ヘッド３側を前方とし、反対側を後方とする。
以下、これらの各部材について説明する。
【００１８】
まずグリップ本体２は、一例として全体として円筒状であり、前方は幾分ラッパ状に外径を拡げた形状を有する。更に前方端部内側には接続メネジ２１が形成されるとともに、接続メネジ２１の奥側、即ち後方には内径を更に小径とした段差２２を具える。この段差２２の部位が実質的に断熱ジョイント５との当たり面となり、断熱ジョイント５の捻じ込み範囲を規制する。更にグリップ本体２は、作用ヘッド３と反対側の後方に給電接続孔２３を有する。この給電接続孔２３近くのグリップ本体２の後方端部には、キャップ用オネジ２４が設けられ、そこにエンドキャップ２５がねじ合わされるようにしてグリップ本体２の端部を形成する。
【００１９】
次にグリップ本体２に組み合わせる作用ヘッド３について説明する。
この作用ヘッド３は、一例として扁平なドーム状に形成されたものであり、グリップ本体２側に基端縁３０を形成し、一方その反対側を扁平ドーム状として作用面３１を曲面形成する。この作用面３１が実質的に治療者の患部に当てられる。更に基端縁３０側の中央部位は、丸窪み状に凹陥させて、ヒータ収め部３２を形成するものであり、そのヒータ収め部３２を形成する面を伝熱面３３とする。そして、ヒータ収め部３２の側周壁部には、接続メネジ３４が形成されるものであり、これにより作用ヘッド３と断熱ジョイント５とがネジ接続される。更にこのヒータ収め部３２の後方である開放端側には、伝熱調整テーパ面３５が形成される。実質的には、ヒータ収め部３２の開放端面をいわば外側に面取りしたような形状としている。以上の構成から理解されるように基端縁３０は、作用ヘッド３の作用側と反対側の後方において円環状に連続した外周を縁取るような構成である。
【００２０】
次にヒータ素子４について説明する。
このヒータ素子４は、後述する密着保持構造６によって、前記作用ヘッド３の伝熱面３３に密着状態に押圧保持されるとともに、リード線７から給電されて発熱する。このリード線７への給電は、制御機器８を介して外部給電を受けて行うものである。制御機器８は、適宜の温度制御手段を具え、且つ多くは１００Ｖ交流電源を適宜の直流電源に変換してヒータ素子に適用させて供給するものである。
ヒータ素子４としては、いわゆるセラミックヒータが一例として適用される。
【００２１】
次に断熱ジョイント５について説明する。
断熱ジョイント５は、耐熱性を具え断熱機能の高いいわゆるヒートインシュレータ素材を用いるものであり、短管状に近い管状の接続部５０の中央に外フランジ状に張り出す仕切部５３を具えた形状を採る。断熱ジョイント５の接続部５０には、作用ヘッド接続部５１と、グリップ接続部５２とが前記仕切部５３を挟んでその両面に突出するように形成されるものであり、それぞれ接続オネジ５１ａ、接続オネジ５２ａを具える。このうち、作用ヘッド接続部５１の接続オネジ５１ａは、作用ヘッド３における接続メネジ３４とネジ連結される。一方、グリップ接続部５２の接続オネジ５２ａは、グリップ本体２における接続メネジ２１とネジ連結される。また仕切部５３は、外径寸法をグリップ本体２と作用ヘッド３との外周寸法にほぼ等しい寸法に合わせる。更に断熱ジョイント５は、中心部が開口しており、その部位をリード線通し部５４とする。
【００２２】
次に密着保持構造６について説明するとともに前記断熱ジョイント５を介した全体の組み付け状態について併せ説明する。この実施例にあっては、前記断熱ジョイント５における作用ヘッド接続部５１の自由端側である前端面５１ｂが、密着保持構造６を担う。即ち断熱ジョイント５に対して、作用ヘッド３が捻じ込んで組み付けられる際に、作用ヘッド接続部５１を実質とする密着保持構造６は、平板状のヒータ素子４を断熱Ｏリング５５を介して作用ヘッド３側に押し付け、これらの密着保持状態を出現させる。
一方、断熱ジョイント５におけるグリップ接続部５２の接続オネジ５２ａは、このものの外側にグリップ本体２の接続メネジ２１がネジ合わされ、両者の組み立てがなされる。結果的に断熱ジョイント５を介してグリップ本体２と作用ヘッド３とが一体的に組み立てられる。
【００２３】
そしてこのように温灸器１のグリップ本体２、作用ヘッド３、ヒータ素子４、断熱ジョイント５の各主要部材の組み立てが行われた場合に、作用ヘッド３と断熱ジョイント５との間においては、次のような構成となる。
まず前記作用ヘッド３の接続メネジ３４は、ヒータ収め部３２の開放端側にある伝熱調整テーパ面３５が形成されることにより、接続メネジ３４のネジ込み寸法、即ちネジ高さが幾分か短寸化される。そして、前記断熱ジョイント５の作用ヘッド接続部５１の寸法設定により、図３に拡大して示すように、作用ヘッド３の基端縁３０は、断熱ジョイント５における仕切部５３に対し、幾分か浮き上がるように間隔を空けた状態に組み付けられる。それとともに、伝熱調整テーパ面３５の存在により、接続メネジ３４と作用ヘッド接続部５１における接続オネジ５１ａの捻じ込み寸法は短く設定されることになるから、結果的に断熱ジョイント５と作用ヘッド３とは、接続メネジ３４の捻じ込まれた範囲でのみで直接接触した状態となる。そして、この捻じ込まれた部位の直後方には伝熱調整テーパ面３５の存在により、ここに伝熱調整空間３６が外部と連通した状態で形成される。
【００２４】
このような構成を有した温灸器１を適宜のスイッチング操作により、外部電源から給電線９を介して給電する。この給電を受けて制御機器８は、適宜の加熱状態になるように制御し、リード線７からヒータ素子４に給電する。この結果、ヒータ素子４が発熱し、密着状態となる作用ヘッド３におけるヒータ収め部３２の伝熱面３３から作用ヘッド３全体に伝達され、作用面３１において設定次第で概ね３５〜７５℃程度に加熱される。
このような加熱状態は、いわばステンレス等の素材によって構成された作用ヘッド３に蓄熱されて安定した発熱状態を維持する。同時に、作用ヘッド３の熱は、治療者の体表面に伝わり、有効利用されるとともに一部は、外部へ輻射放散する。そればかりでなく作用ヘッド３の熱は、前記接続メネジ３４と、接続オネジ５１ａとの間が直接触れているため、断熱ジョイント５にも伝導伝熱がなされる。このとき作用ヘッド３と断熱ジョイント５との直接接触が伝熱調整テーパ面３５の存在により、可及的に少なく抑えられていることにより伝導伝熱、即ち熱の無駄な逃げが抑えられている。更に一方では、そこにある伝熱調整空間３６は、適宜ここからの熱放散を促すものの、ほぼ空室状の形状を採ることにより、好ましい放散状態を得ており、結果的に作用ヘッド３を適温状態に保つ効果が得られている。
【００２５】
この結果、電力消費を可及的に抑えながらも、安定した温灸治療をなしうる。また患部に強く押し当てて、作用ヘッド３の熱を被施療者に付与する場合には、給電線９がグリップ本体２の側面に接続されていることから、グリップ本体２からは、患部を手のひら等で押し易い状態となって、施療者にとってその操作が行い易い。
【００２６】
〔他の実施の形態〕
本発明は以上述べた実施の形態を一つの基本的な技術思想とするものであるが、更に次のような改変が考えられる。
まず断熱ジョイント５を介したグリップ本体２と作用ヘッド３との接続状態は、上述したような両者を捻じ込んで接続する形態に限らず、適宜の接続手法が採り得るものである。
例えば図４に示すように別途キャップスクリューＳ等を利用して、グリップ本体２に対して、断熱ジョイント５を接続する一方、断熱ジョイント５に形成した複数のネジ穴に対し、作用ヘッド３を貫くようなキャップスクリューＳ等を捻じ込み固定することが可能である。即ち具体的には、前記グリップ本体２の作用ヘッド３側の端面に例えば円周上に３箇所、メネジ２６を形成しておき、一方断熱ジョイント５は、ほぼ平板状のドーナツ板状の形態とし、ビス頭部が隠れるようなサグリを具えたネジ穴５６を形成しておき、その部位にキャップスクリューＳを捻じ込むようにして、まず断熱ジョイント５をグリップ本体２に固定する。
一方、作用ヘッド３には、断熱ジョイント５を固定したグリップ本体を避けるような状態で、例えば３カ所ほど、キャップスクリューＳの受入孔３７を形成し、一方対応した位置における断熱ジョイント５の仕切部５３には、接続メネジ５３ａを形成しておく。
これらの組み立てにあたっては、断熱ジョイント５に作用ヘッド３を被せるようにキャップスクリューを捻じ込み両者を固定する。このような形態の場合、前記仕切部５３からは、密着保持構造６として、短寸の円筒状の保持突起６１を作用ヘッド３側に延長形成するようにして、この前端面部位で断熱Ｏリング（図示省略）を介して、前記ヒータ素子４を押さえ込むような構成を採る。
【００２７】
＜作用ヘッドの他の実施例＞
また作用ヘッド３は、患部の状態に応じて適宜の形態を採ることが好ましいものであって、図５に示すような形態のものを一例として付け替えを自在に用意してもよい。
即ち図５（ａ）に示すものは、作用ヘッド３の先端形状であるいわゆるドーム形態を、急峻なものとしたものである。また図５（ｂ）に示すものは、作用ヘッド３の前端中心部３１ａを凹陥させたものである。
更にまた図５（ｃ）に示すものは、比較的平らな頂部の中心に針状の突起３１ｂを形成し、鍼刺激作用を得られるようにしたものである。更にまた図５（ｄ）に示すものは、作用ヘッド３の中心部３１ｄを囲むようにヒートインシュレータ３１ｅを配置し、加熱部位を集中させるようにしたものである。
【００２８】
＜その他の応用＞
本発明の温灸器１は、このものに更に複合的な機能を奏するように、例えば加振装置を組み込み、マッサージ効果を得ることもできる。
【符号の説明】
【００２９】
１      温灸器
２      グリップ本体
３      作用ヘッド
４      ヒータ素子
５      断熱ジョイント
６      密着保持構造
７      リード線
８      制御機器
９      給電線
２      グリップ本体
２１    接続メネジ
２２    段差
２３    給電接続孔
２４    キャップ用オネジ
２５    エンドキャップ
２６    メネジ
３      作用ヘッド
３０    基端縁
３１    作用面
３１ａ  前端中心部
３１ｂ  突起
３１ｄ  中心部
３１ｅ  ヒートインシュレータ
３２    ヒータ収め部
３３    伝熱面
３４    接続メネジ
３５    伝熱調整テーパ面
３６    伝熱調整空間
３７    受入孔
５      断熱ジョイント
５０    接続部
５１    作用ヘッド接続部
５１ａ  接続オネジ
５１ｂ  （作用ヘッド接続部の）前端面
５２    グリップ接続部
５２ａ  接続オネジ
５３    仕切部
５３ａ  接続メネジ
５４    リード線通し部
５５    断熱Ｏリング
５６    ネジ穴
６      密着保持構造
６１    保持突起
７      リード線
８      制御機器
９      給電
Ｓ      キャップスクリュー
【図１】
2015062641.tif 000003
【図２】
2015062641.tif 000004
【図３】
2015062641.tif 000005
【図４】
2015062641.tif 000006
【図５】
2015062641.tif 000007